(57)【特許請求の範囲】
【請求項１】
建物開口部における躯体枠に予め配設されるサッシ枠の周囲に位置して前記躯体枠に対し屋外方向に延設される窓シャッターの枠体構造において、
前記サッシ枠の左右縦枠の外側に位置した前記躯体枠の前面に固定され、該躯体枠より屋外方向に延出する延出板を有する枠部を有するとともに、前記サッシ枠より屋外側に位置して該枠部先端縁に設けられ、シャッターカーテンの左右側端を支持し昇降移動を案内する対向したガイド溝が形成されたレール部を有し、前記サッシ枠の左右縦枠より上下に長尺に形成された左右一対のガイド縦枠と、
前記各ガイド縦枠の下端の互いに対向する枠部内面に両端縁を固定されて両ガイド縦枠を連結し、前記サッシ枠の下枠下方に位置する下枠と、
各ガイド縦枠の上端の互いに対向する枠部内面に端縁を固定されて両ガイド縦枠を連結し、前記サッシ枠の上枠に沿う連結枠と、
を具備し、前記左右一対のガイド縦枠を構成する前記枠部の前記延出板には、基板が略断面Ｌ字状に接合されるとともに延出板の先端縁には該基板と反対の方向に突出するように前記レール部が形成され、前記各枠が連結されて矩形に枠組みされた構造とされ、
前記躯体枠に予め固定されている前記サッシ枠の周囲に、該サッシ枠を囲繞するように配設され、前記躯体枠に前記基板が固定されていることを特徴とする窓シャッターの枠体構造。
【請求項２】
前記躯体枠と前記サッシ枠の上枠上面とに沿って、少なくとも左右一対で複数の鉤状の取付治具が固定され、この取付治具に矩形に枠組みされた前記窓シャッターの枠体構造の上枠となる前記連結枠が載置係合されることを特徴とする請求項１記載の窓シャッターの枠体構造。
【請求項３】
前記連結枠は、断面略Ｌ字状の枠体であり、長手方向の長さが前記下枠と同等の長さに形成されていることを特徴とする請求項１又は２記載の窓シャッターの枠体構造。
【請求項４】
前記下枠は、垂直な当接板と、該当接板の下縁から表面側俯角方向に傾斜して延設される水切板と、この水切板の先端縁から垂下方向に延出形成される前板とで構成され、前記延出板の奥行き長さと略同等の長さとなるように設定されていることを特徴とする請求項１乃至３のいずれか１項に記載の窓シャッターの枠体構造。
【発明の詳細な説明】
【０００１】
【発明の属する技術分野】
本発明は、建物開口部に設けられる窓シャッターにおいて、建物開口部に予め配設されているサッシ枠の周囲に配設される窓シャッターの枠体構造に関するものである。
【０００２】
【従来の技術】
住宅などの建物の窓などの開口部にサッシ枠が組み込まれた後に、このサッシ枠とは別体構成の開口部を覆う窓シャッターを配設する場合、このサッシ枠の周囲には窓シャッターの枠体を構成する左右のガイドレール及び下枠としての水切枠を配設させる。
【０００３】
従来、この窓シャッターの枠体を建物躯体枠に配設するには、まず、躯体枠に予め固定されているサッシ枠の下枠の下部に、水切枠をサッシ下枠に沿わせて固定する。
この水切枠は、サッシ枠の左右縦枠の下端より左右それぞれに突出するようにサッシ下枠より左右方向に長尺に形成されているとともに、躯体枠に対してやや俯角方向に傾斜するように上面が形成されている。
【０００４】
次に、水切枠の躯体枠に対する突出寸法に適合した延出長さに形成される外枠を選択し、この外枠の下端を、水切枠の傾斜した上面に沿って切断加工して、この水切枠に下端を当接させた状態でサッシ縦枠の外側に位置させて建物側の躯体枠に固定する。
【０００５】
次に、左右ガイドレールの下端も外枠と同様に、水切枠の傾斜した上面に沿って切断加工し、外枠の先端縁にガイドレールを固定させて、窓シャッターの枠体の取付施工が完了する。
その後、窓シャッターの機構部分をサッシ枠の上枠上部に固定し、シャッターカーテンを左右ガイドレール間に装着させて窓シャッターが完成となる。
【０００６】
【発明が解決しようとする課題】
しかしながら、上述した従来の窓シャッターの枠体の構造では、まず水切枠を固定し、この水切枠を基準に外枠及びガイドレールを設ける構造であることから、水切枠は堅固な構造となるようにホロー形状とし、躯体枠に対する突出長さや、左右幅方向の長さなどを十分に設定しなければならず、窓シャッターの全体構成における枠体の構造が大型なものとなってしまうとともに、左右の突出した端部である切断端面を覆い隠すためのキャップが必要であり、意匠性として見劣りするという欠点がある。
【０００７】
また、この水切枠は、左右ガイドレールの底面を構成しなければならないことから、躯体枠に対する突出長さがサッシ枠の突出長さより十分に長く設定されており、このことからもこの水切枠を堅固な構造としなければならず、さらにこの窓シャッターの配設される窓が掃き出し窓である場合に、この水切枠の突出した先端部分が邪魔になるという欠点がある。
【０００８】
さらに、この従来の窓シャッターの枠体の構造では、各枠毎に躯体枠への固定作業を行うことから、取付施工が煩雑となり、容易に枠構造を得ることができないという問題があった。
【０００９】
そこで本発明は、上記問題点を解消するために、簡素な構造とするとともに、躯体枠への取り付けが容易とされ施工性がよく、見栄えの良好な窓シャッターの枠体構造を提供することを目的としている。
【００１０】
【課題を解決するための手段】
次に、上記の課題を解決するための手段を、実施の形態に対応する図面を参照して説明する。
この発明の窓シャッターの枠体構造１は、建物開口部２における躯体枠４に予め配設されるサッシ枠３の周囲に位置して前記躯体枠４に対し屋外方向に延設される窓シャッターの枠体構造において、
前記サッシ枠３の左右縦枠３Ｌ，３Ｒの外側に位置した前記躯体枠４の前面に固定され、該躯体枠４より屋外方向に延出する延出板９を有する枠部７を有するとともに、前記サッシ枠３より屋外側に位置して該枠部７先端縁に設けられ、シャッターカーテンＳの左右側端を支持し昇降移動を案内する対向したガイド溝１１が形成されたレール部１０を有し、前記サッシ枠３の左右縦枠３Ｌ，３Ｒより上下に長尺に形成された左右一対のガイド縦枠５，６と、
前記各ガイド縦枠５，６の下端の互いに対向する枠部７内面に両端縁を固定されて両ガイド縦枠５，６を連結し、前記サッシ枠３の下枠３Ｄ下方に位置する下枠１４と、
各ガイド縦枠５，６の上端の互いに対向する枠部７内面に端縁を固定されて両ガイド縦枠５，６を連結し、前記サッシ枠３の上枠３Ｕに沿う連結枠２０と、
を具備し、前記左右一対のガイド縦枠を構成する前記枠部の前記延出板９には、基板８が略断面Ｌ字状に接合されるとともに延出板９の先端縁には該基板８と反対の方向に突出するように前記レール部１０が形成され、前記各枠５，６，１４，２０が連結されて矩形に枠組みされた構造とされ、
前記躯体枠４に予め固定されている前記サッシ枠３の周囲に、該サッシ枠３を囲繞するように配設され、前記躯体枠４に前記基板８が固定されていることを特徴としている。
【００１１】
なお、前記連結枠２０は、前記躯体枠４と前記サッシ枠３の上枠３Ｕ上面とに沿って、少なくとも左右一対で複数の鉤状の取付治具２２が固定され、この取付治具２２に矩形に枠組みされた前記窓シャッターの枠体構造１の上枠となる前記連結枠２０が載置係合される構成としてもよい。連結枠２０は、断面略Ｌ字状の枠体とすることができる。
この場合、この取付治具２２に、前記矩形に枠組みした前記各枠５，６，１４，２０の連結枠２０を上方より係合させることで、前記躯体枠４に対して仮固定とさせることとなり、その後、躯体枠４に対しての固定となる。
また、前記下枠１４は、垂直な当接板１５と、該当接板１５の下縁がら表面側俯角方向に傾斜して延設される水切板１６と、この水切板１６の先端縁から垂下方向に延出形成される前板１７とで構成され、前記延出板９の奥行き長さと略同等の長さとなるように設定されている。
【００１２】
【発明の実施の形態】
図１は本発明による窓シャッターの枠体構造の実施の形態を示す概略斜視図である。
【００１３】
本発明の窓シャッターの枠体構造１は、住宅などの建物の窓などの開口部２に、予め配設されるサッシ枠３の周囲に配設され、一対のガイド縦枠５，６と、下枠１４と、連結枠２０とで大略構成されている。
【００１４】
まず、ガイド縦枠５，６は、左右一対で構成され、図１及び図２に示すように、枠部７と、レール部１０とで構成されている。
枠部７は、基板８と延出板９とが直角に接合し、略Ｌ字状の断面が連続した長尺体で、基板８は建物開口部２を構成する躯体枠４の前面に沿って固定され、延出板９がこの基板８に対してフランジ状に屋外方向へ延出するようになっている。なお、この延出板９の延出長さは、躯体枠４に対するサッシ枠３の屋外方向の突出長さよりやや長く設定され形成される。
【００１５】
レール部１０は、延出板９の先端縁に、この延出板９に対する基板８の延出方向と反対の方向に突出するように形成されており、略コ字状の断面が連続した形状で、上下に連続するガイド溝１１が形成され、対となるガイド縦枠のガイド溝１１と互いに対向するようになっている。
【００１６】
また、このレール部１０は、図１に示すように、上端１０ａに拡幅形成されたシャッターカーテンＳの呑み込み口１２が形成され、下端１０ｂには、ガイド溝１１の終端とさせる蓋部材１３が嵌合され固定される。
【００１７】
なお、このガイド縦枠５，６は、建物の躯体枠４に予め固定されているサッシ枠３の左右の縦枠３Ｌ，３Ｒより長尺に設定され形成される。
【００１８】
次に、下枠１４は、図１及び図３に示すように、垂直な当接板１５と、該当接板１５の下縁から表面側俯角方向に傾斜して延設される水切板１６と、この水切板１６の先端縁から垂下方向に延出形成される前板１７とで構成され断面略Ｚ字状に形成されているとともに、当接板１５の上下縁部には裏面側に突出する支持片１８が形成され、また、水切板１６の先端縁とこの水切板１６の中途部分とに位置する下面に、長手方向に沿う固定孔１９がそれぞれ形成されている。
【００１９】
また、この下枠１４は、建物躯体枠４に予め配設されるサッシ枠３の左右幅長と同等の長さに形成されるとともに、躯体枠４に対する延出長さである奥行き幅が前記ガイド縦枠５，６の枠部延出板９の長さと略同等となるように設定されている。
【００２０】
次に、連結枠２０は、断面略Ｌ字状の枠体で、長手方向の長さが前記下枠１４と同等の長さに設定されて形成されるとともに、躯体枠４に対する延出長さである奥行き幅が躯体枠４に予め配設されているサッシ枠３の上枠３Ｕの躯体枠４に対する突出長さと略同等に設定されている。
なお、この連結枠２０には、両端に略Ｌ字状に形成された固定ブラケット２１がそれぞれ固定されている。
【００２１】
また、この連結枠２０には、この連結枠２０とは別体とされ、垂直固定部２２ａと水平固定部２２ｂとを有して略Ｌ字状に形成されるとともに、水平固定部２２ｂの先端に垂直上方向に係合片２３が突出形成された鉤状の取付治具２２が具備されている。
そして、この取付治具２２は、躯体枠４と、この躯体枠４に予め配設されているサッシ枠３の上枠３Ｕ上面とに沿って各固定部２２ａ，２２ｂが固定され、連結枠２０と係合されるようになっている。
【００２２】
そして、上述した左右のガイド縦枠５，６と、下枠１４と、連結枠２０とは、それぞれ連結されて矩形に枠組みされる。
この枠組み状態では、左右のガイド縦枠５，６の下端の互いに対向する枠部内面に、両端縁をそれぞれ固定されて両ガイド縦枠５，６を連結するように下枠１４が固定されるとともに、各ガイド縦枠５，６の上端の互いに対向する枠部内面に固定ブラケット２１を介して両端縁をそれぞれ固定されて両ガイド縦枠５，６を連結するように連結枠２０が固定され、すなわち左右ガイド縦枠５，６間の上下に連結枠２０と下枠１４とが位置するように連結される。
【００２３】
次に、以上のように構成された窓シャッターの枠体構造１を、建物開口部２に取り付ける施工手順について説明する。
【００２４】
まず、建物の窓などの開口部２に、予め配設されているサッシ枠３の上枠３Ｕの上面と、このサッシ上枠３Ｕが固定されている躯体枠４の前面とに沿って取付治具２２が釘などの固定手段にて固定される。
この取付治具２２は、サッシ枠３の間口幅長に対応させて、少なくとも左右一対で複数固設される。
【００２５】
次に、躯体枠４に対して延出しサッシ上枠３Ｕに沿う各取付治具２２の水平固定部２２ｂの上面に、矩形に枠組みされた窓シャッターの枠体構造１の上枠となっている連結枠２０を上方より載置し（図１中矢線）、先端の係合片２３と係合させる。
【００２６】
すると、躯体枠４に予め固定されている矩形なサッシ枠３の上枠３Ｕには連結枠２０が沿い、左右縦枠３Ｌ，３Ｒにはそれぞれガイド縦枠５，６が沿って、サッシ下枠３Ｄの下方に下枠１４が位置するように、すなわち、サッシ枠３の周囲が、連結枠２０，左右ガイド縦枠５，６，下枠１４の各枠で囲繞されるように、取付治具２２に吊下状態となって仮固定の状態となる。
【００２７】
そして、左右ガイド縦枠５，６，下枠１４の各枠体は、釘２４などの固定手段にて躯体枠４に固定される（図３参照）。
この固定状態では、左右ガイド縦枠５，６のレール部１０のみがサッシ枠３よりも屋外側に延出した位置となり、各ガイド溝１１が対向するようになる。
なお、連結枠２０は、固定手段等を用いて躯体枠４側に固定せず、取付治具２２に係合された状態とする。
【００２８】
その後、左右のガイド縦枠５，６の上部にシャッターケースが躯体枠４に固定され、各ガイド縦枠５，６のレール部１０，１０間にシャッターカーテンＳを装着し（図２参照）このシャッターカーテンＳの左右側端を支持させて、窓シャッターが完成される。
【００２９】
従ってこのように構成された窓シャッターの枠体構造１では、左右のガイド縦枠５，６と、下枠１４と、連結枠２０とを連結し、予め矩形に枠組みした後に、躯体枠４へ固定させる構成とされているので、従来のように、水切枠をサッシ下枠３Ｄの下部に固定しその後この水切枠を基準に他の枠を個別に固定させるという施工手順ではなく、一括して躯体枠４側に取り付けることとなるので、施工が容易となり、短時間で建物躯体枠４に固定させることが可能となる。
【００３０】
また、この枠体構造１によれば、シャッターカーテンＳの左右側端を支持し案内する左右のガイド縦枠５，６を、サッシ枠３の左右縦枠３Ｌ，３Ｒより上下に長尺に形成し、上下端部の対向する内面に連結枠２０と下枠１４とを連結して枠組みする構成であることから、枠組みした状態において下枠１４の両端部が左右幅方向に突出することがなく、この端面を覆うキャップなどが不要となり、枠体構造として見栄えが良くなる。
【００３１】
さらに、下枠１４を基準として他の枠を固定する構造ではなく、左右ガイド縦枠５，６に挟持されるように下枠１４が固定されるとともに、連結枠２０を具備して枠組みされる構造であることから、歪曲することがなく、この下枠１４を、従来のような堅固で大型なホロー形状の水切枠としなくてもよく、すなわち、下枠１４の形状を薄肉形状とすることが可能となる。
また、このことから廉価に製作が可能となる。
【００３２】
また、連結枠２０と別体に構成された取付治具２２を用いることで、躯体枠４側への取付施工の際に、矩形に枠組みされた各枠５，６，１４，２０を容易に躯体枠４側へ仮固定でき、各枠の固定作業が行いやすくなるとともに、この仮固定時に枠組みされた各枠５，６，１４，２０が落下してしまうことがなく、作業者が常に手で支持してなくても施工が行え、単独の施工作業者にて作業を行うことが可能となり、省人化を図ることが可能となる。
【００３３】
また、この取付治具２２によって、枠体構造１の位置決めを行うことが可能となる。
【００３４】
【発明の効果】
以上説明したように本発明による窓シャッターの枠体構造では、左右のガイド縦枠と、下枠と、連結枠とを連結し、予め矩形に枠組みした後に、躯体枠へ固定させる構成とされているので、従来のように各枠をそれぞれ個別に固定させるという施工手順ではなく、一括して躯体枠側に取り付けるので、施工が容易となり、短時間で建物躯体枠に固定させることができるという効果がある。
【００３５】
また、この枠体構造によれば、シャッターカーテンの左右側端を支持し案内する左右のガイド縦枠を、サッシ枠の縦枠より上下に長尺に形成し、上下端部の対向する内面に連結枠と下枠とを連結して枠組みする構成であることから、枠組みした状態において下枠の両端部が左右幅方向に突出することがなく、この端面を覆うキャップなどが不要となり、枠体構造としての見栄えが良くなるという効果がある。
【００３６】
さらに、下枠を基準として他の枠を固定する構造ではなく、左右ガイド縦枠に挟持されるように下枠が固定されるとともに、連結枠を具備して枠組みされる構造であることから、この下枠を、従来のような堅固で大型なホロー形状の水切枠としなくてもよく、すなわち、下枠の形状を薄肉形状とすることが可能となり、このことから各枠体を成型する際の原材料が削減でき、廉価に製作が可能となるという効果がある。
【００３７】
また、連結枠と別体に構成された取付治具を用いることで、躯体枠側への取付施工の際に、矩形に枠組みされた各枠を容易に躯体枠側へ仮固定でき、各枠の固定作業が行いやすくなるとともに、この仮固定時に枠組みされた各枠が落下してしまうことがなく、作業者が常に手で支持してなくても施工が行え、単独の施工作業者にて作業を行うことが可能となり、省人化を図ることができるという効果があるとともに、この取付治具によって、枠体構造の位置決めを行うことが可能となるという効果がある。
【図面の簡単な説明】
【図１】本発明による窓シャッターの枠体構造の実施の形態を示す概略斜視図
【図２】同側断面図
【図３】同平断面図
【符号の説明】
１…枠体構造
２…建物開口部
３…サッシ枠
３Ｄ…下枠
３Ｌ…左縦枠
３Ｒ…右縦枠
３Ｕ…上枠
５，６…ガイド縦枠
７…枠部
１０…レール部
１１…ガイド溝
１４…下枠
２０…連結枠
２２…取付治具
Ｓ…シャッターカーテン
【図１】
0003546555.tif 000002
【図２】
0003546555.tif 000003
【図３】
0003546555.tif 000004